(57)【要約】      （修正有）【課題】機能を限定して簡素な構成としたサーバで、小規模なＥＴＣシステムから大規模なＥＴＣシステムまで対応することのできる料金所サーバを提供する。【解決手段】上位システム４０との間でデータの送受信を行う上位システム通信部４３、車縁サーバとデータの送受信を行う車線通信部４５、サーバ演算部４４、及びサーバ記憶部４６とを有するサーバ本体４２と、表示部４１ａを有するクライアント４１とを備える料金所サーバ３２Ａを実現する。サーバ本体は、クライアント４１からの指示に基づいて、車線サーバから送信されてくるデータを、１日単位での車線ごとの通行台数、全車線における通行台数等、累計処理し、サーバ記憶部４６に格納する。そして、クライアント４１からの指示に応じて、クライアント４１の表示部に規定の累計データを表示する。また、規定時間間隔毎、あるいは規定データ量毎に、ＥＴＣ利用明細データを上位システム４０に送信する。【選択図】  図５
2006309597.tif 000002
【特許請求の範囲】
【請求項１】
通行料金の決算および前記決算のためのＥＴＣマスターテーブル管理を行う上位システムとの間でデータの送受信を行うための上位システム通信部と、無線課金あるいはカードリーダによる課金を行なうための装置を制御する車線サーバとの間でデータの送受信を行うための車線通信部と、サーバ演算部と、サーバ記憶部とを備えるサーバ本体と、
前記サーバ本体に接続されて表示部を有するクライアントと
を具備し、
前記サーバ本体は、前記クライアントからの指示に基づいて、前記車線通信部を介して受信する前記車線サーバからの車線サーバデータを前記サーバ演算部により累計処理し、前記累計処理により作成されたＥＴＣ集計データを前記サーバ記憶部に格納し、前記クライアントからの前記指示に対応する前記ＥＴＣ集計データを前記クライアントの前記表示部に表示し、
さらに、規定期間あるいは規定データ量毎に、特定の前記ＥＴＣ集計データを前記上位システム通信部を介して前記上位システムに送信する
料金所サーバ。
【請求項２】
請求項１に記載の料金所サーバにおいて、
前記クライアントは、パーソナルコンピュータ（ＰＣ）である料金所サーバ。
【請求項３】
請求項１または２に記載の料金所サーバにおいて、
前記サーバ本体の数は、対応する料金所の数、あるいは対応する車線の総数に応じて少なくとも１台以上であり、それぞれの前記サーバ本体は、１台の前記クライアントに接続される料金所サーバ。
【請求項４】
請求項１から３までの少なくとも一項に記載の料金所サーバにおいて、
前記車線サーバデータは、ＥＴＣ利用明細データと、
ＥＴＣ勤務データと、
前記車線のそれぞれで発生したＥＴＣ交通量を示すＥＴＣ交通量データと、
前記車線サーバと前記車線サーバが制御する前記装置と前記料金所サーバとの機器状態を示すＥＴＣ機器状態データと
を備える料金所サーバ。
【請求項５】
請求項１から４までの少なくとも一項に記載の料金所サーバにおいて、
前記ＥＴＣ集計データは、前記クライアントから入力される、および前記車線通信部を介して前記車線サーバから受信する前記ＥＴＣ利用明細データと、
前記クライアントから入力される、および前記車線通信部を介して前記車線サーバから受信する前記ＥＴＣ勤務データと、
前記ＥＴＣ交通量データと、
前記ＥＴＣ機器状態データと
を備える料金所サーバ。
【請求項６】
請求項１から５までの少なくとも一項に記載の料金所サーバにおいて、
前記特定の前記ＥＴＣ集計データは、前記ＥＴＣ利用明細データである
料金所サーバ。
【請求項７】
請求項１から６までの少なくとも一項に記載の料金所サーバにおいて、
前記累計処理は、日報、月報、及び年報の累計処理である料金所サーバ。
【請求項８】
請求項１から７までの少なくとも一項に記載の料金所サーバにおいて、
前記サーバ本体の前記サーバ演算部が、前記上位システムから送信される前記ＥＴＣマスターテーブルに含まれる決済不可能ＩＤ番号と、前記料金所サーバと通信を行っている車両に対応するＩＤ番号とを照合し、前記決済不可能ＩＤ番号と前記ＩＤ番号とが一致を示した場合には、前記車両の通行を許可しない料金所サーバ。
【請求項９】
請求項１から８までの少なくとも一項に記載の料金所サーバにおいて、
前記クライアントは、前記サーバ本体から送信される前記ＥＴＣ集計データを出力するための帳票装置をさらに具備する料金所サーバ。
【請求項１０】
請求項１から９までのいずれか一項に記載の料金所サーバを備えた小規模有料道路ＥＴＣシステムであって、
前記サーバ本体のそれぞれが、各々の前記車線通信部を介して、概ね１６箇所以下の料金所、あるいは総計６４車線以下の車線を管理する前記車線サーバとの間でデータの送受信を行う小規模有料道路ＥＴＣシステム。
【請求項１１】
請求項１から９までのいずれか一項に記載の料金所サーバを備えた中規模有料道路ＥＴＣシステムであって、
さらに、概ね数１０車線〜１００車線毎に、前記概ね数１０車線〜１００車線のそれぞれに備えられる前記車線サーバと通信を行って前記車線サーバから受信したデータを通信処理する通信制御装置を備え、
前記サーバ本体のそれぞれが、前記車線通信部を介して、前記通信制御装置のそれぞれで通信処理された前記データの受信、または前記通信制御装置のそれぞれにデータの送信を行う中規模有料道路ＥＴＣシステム。
【請求項１２】
請求項１から９までのいずれか一項に記載の料金所サーバを備えた大規模有料道路ＥＴＣシステムであって、
前記クライアントは、さらに、クライアント演算部を有し、
前記クライアント演算部は、前記サーバ本体の前記サーバ演算部において行われていた前記累計処理を行い、前記累計処理により作成された前記ＥＴＣ集計データを前記サーバ記憶部に格納する大規模有料道路ＥＴＣシステム。
【請求項１３】
通行料金の決算および前記決算のためのＥＴＣマスターテーブル管理を行う上位システムとの間でデータの送受信を行うための上位システム通信部と、無線課金あるいはカードリーダによる課金を行なうための装置を制御する車線サーバとの間でデータの送受信を行うための車線通信部と、サーバ演算部と、サーバ記憶部とを備えるサーバ本体と、前記サーバ本体に接続されて表示部を有するクライアントとを具備する料金所サーバにおけるＥＴＣシステム管理方法であって、
前記クライアントからの指示に基づいて、前記車線サーバからの車線サーバデータを受信する受信ステップと、
前記受信ステップで受信した前記車線サーバデータを累計処理してＥＴＣ集計データを作成する累計処理ステップと、
前記クライアントからの前記指示に対応する前記ＥＴＣ集計データを前記クライアントの前記表示部に表示する表示ステップと、
規定期間あるいは規定データ量毎に、特定の前記ＥＴＣ集計データを前記上位システムに送信する送信ステップと
を具備する料金所サーバにおけるＥＴＣシステム管理方法。
【請求項１４】
請求項１３に記載の料金所サーバにおけるＥＴＣシステム管理方法において、
前記サーバ本体の数は、対応する料金所の数、あるいは対応する車線の総数に応じて少なくとも１台以上であり、
前記サーバ本体のそれぞれにおいて、前記受信ステップと、前記累計処理ステップと、前記表示ステップと、前記送信ステップとを備える料金所サーバにおけるＥＴＣシステム管理方法。
【請求項１５】
請求項１３または１４に記載の料金所サーバにおけるＥＴＣシステム管理方法において、
前記累計処理ステップは、前記車線サーバデータの日報、月報、及び年報の累計処理をすることである料金所サーバにおけるＥＴＣシステム管理方法。
【請求項１６】
請求項１３から１５までの少なくとも一項に記載の料金所サーバにおけるＥＴＣシステム管理方法において、
前記上位システムから送信される前記ＥＴＣマスターテーブルに含まれる決済不可能ＩＤ番号と、前記料金所サーバと通信を行っている車両に対応するＩＤ番号とを照合する照合ステップと、
前記決済不可能ＩＤ番号と前記ＩＤ番号とが一致を示した場合には、前記車両の通行を許可しない不許可ステップと
を具備する料金所サーバにおけるＥＴＣシステム管理方法。
【請求項１７】
請求項１３から１６までの少なくとも一項に記載の料金所サーバにおけるＥＴＣシステム管理方法において、
前記サーバ本体から送信される前記ＥＴＣ集計データを出力するための帳票ステップをさらに具備する料金所サーバにおけるＥＴＣシステム管理方法。
【請求項１８】
請求項１３から１７までの少なくとも一項に記載の料金所サーバにおけるＥＴＣシステム管理方法を実現させるためのコンピュータ読み込み可能な料金所サーバにおけるＥＴＣシステム管理プログラム。
【発明の詳細な説明】
【技術分野】
【０００１】
本発明は料金所サーバに関し、特に機能を限定して簡素な構成としたサーバで、小規模なＥＴＣシステムから大規模なＥＴＣシステムまで対応することのできる料金所サーバに関する。
【背景技術】
【０００２】
有料道路における従来の料金収受システムは、図１に示されるように、多くの場合、それぞれ収受業務を行う車線機器４と処理結果を出力する料金事務所（３ａ〜３ｃ）とを備える少なくとも１つの料金所で構成され、各料金所（２ａ、２ｂ、２ｃ）毎に閉じたシステムとなっている。このため、従来の料金収受システム１では、マスタテーブルや利用明細による清算業務を必要とするＥＴＣなどの後納支払い種別を取り扱うことはできない。
【０００３】
料金収受システムで、ＥＴＣなどの後納支払い種別を取り扱うためには、ＩＣカード化されたクレジットカードや別納カードといった後納支払い種別を取り扱うために、当該料金収受システムでマスタテーブルを入手し、利用明細をクレジット会社へ送る機能を備えた料金所の上位システムを設置する必要がある。
【０００４】
ＥＴＣシステムは、既に日本道路公団（ＪＨ）や阪神高速道路公団（ＨＥＸ）などの大規模事業者や、中規模事業者に導入されている。図２に従来の大規模事業者向けＥＴＣシステム１０の構成を示す。図２に示されるように、従来の大規模事業者向けＥＴＣシステム１０では、各料金所（１２ａ〜１２ｃ）の料金事務所（１３ａ〜１３ｃ）に１台ずつ料金所サーバ（１４ａ〜１４ｃ）が導入されており、上位システム１１との間で送受信されるデータの管理を行っている。料金所サーバ（１４ａ〜１４ｃ）には、それぞれ車線数分の車線サーバ１５が接続され、各々の車線サーバ１５にＥＴＣ通信装置等の車線機器１６による取得データが送付される。また、ブース収受機など、マニュアル操作によって取り扱われる車線機器１６からの処理データは、直接料金所サーバ（１４ａ〜１４ｃ）に送信される。
【０００５】
図３に従来の中規模事業者向けＥＴＣシステム２０の構成を示す。中規模事業者向けＥＴＣシステム２０では、総計１００車線以上になる料金所（２３ａ〜２３ｃ）からのデータを１つの料金所サーバ２２で集中管理する構成が構築されている。そして、料金所サーバ２２と上位システム２１との間でデータの送受信が行われると同時に、当該料金所サーバ２２において取り扱いデータの管理が行われている。各料金所（２３ａ〜２３ｃ）は、それぞれ車線数分の車線サーバ２４を備えており、各々の車線サーバ２４には車線機器２５が接続されている。各車線サーバ２４は料金所サーバ２２に接続されており、それぞれの車線機器２５により取得されたデータは、各車線サーバ２４を介して料金所サーバ２２に送信される。
【０００６】
図４に、上記したそれぞれの規模のＥＴＣシステムに備えられる料金所サーバの規格一覧、および小規模事業者により求められているＥＴＣシステム料金所サーバの規格一覧を示す。大規模事業者向けＥＴＣシステム１０の料金所サーバは、各料金所に設置場所を確保する必要がある。更に、料金所の数が多いほど費用が増えるため、小規模事業者には導入困難であると考えられる。また、中規模事業者向けＥＴＣシステム２０の料金所サーバは、設置場所が１箇所で済むが装置規模が大きくサーバの価格が非常に高価となり、小規模事業者には導入が難しい。このため、図４に示されるような、小規模業者にとってＥＴＣシステムの導入を容易にする料金所サーバの開発が必要とされている。
【０００７】
上記の技術分野に関連して、特開０７−２２０１２６号公報に開示されている「有料道路の通行管理システム」では、複数の区間を有する有料道路の各入り口で、車両識別装置により各車両を個別的に識別してその識別情報を集中管理装置に格納すると共に、有料道路の各出口で、車両識別装置により各車両を個別的に識別し、この出口での車両の識別情報と集中管理装置に格納されている識別情報とを照合して、当該車両の通行料金を自動的に算出する有料道路の通行管理システムが提案されている。
【０００８】
また、特開１０−１３４２１９号公報に開示されている「有料道路の料金収受システム」では、料金所に進入する車両の車種を判別する車種判別装置と、料金所に設けられ、収受員の操作入力に基づいて料金収受処理を行なう料金処理機と、料金処理機による処理データを集計処理すると共に、車種判別装置により自動判別された車種に基づく収受演算を行なって帳票を作成する集計処理装置とを具備したことを特徴とする有料道路の料金収受システムが提案されている。
【０００９】
また、特開１０−２２２７９４号公報に開示されている「車両通行管理システム」では、有料道路を通行する車両を管理する車両通行管理システムにおいて、有料道路に出入りするためのゲートと、車両に装備された車両側通信装置と、ゲートに装備されたゲート側通信装置とを有し、車両側通信装置は、当該車両の識別情報を発信可能であると共に、通過したゲートのゲート情報を受信可能であり、ゲート側通信装置は、通過車両の識別情報を受信可能であると共に、当該ゲートを識別するゲート情報を発信可能である車両通行管理システムが提案されている。
【００１０】
【特許文献１】特開平０７−２２０１２６号公報
【特許文献２】特開平１０−１３４２１９号公報
【特許文献３】特開平１０−２２２７９４号公報
【発明の開示】
【発明が解決しようとする課題】
【００１１】
本発明の目的は、機能を限定して簡素な構成としたサーバで、小規模なＥＴＣシステムから大規模なＥＴＣシステムまで対応することのできる料金所サーバを提供することである。
【課題を解決するための手段】
【００１２】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１３】
本発明の料金所サーバ（３２Ａ，３２Ｂ）は、通行料金の決算および決算のためのＥＴＣマスターテーブル管理を行う上位システム（４０）との間でデータの送受信を行うための上位システム通信部（４３）と、無線課金あるいはカードリーダによる課金を行なうための装置を制御する車線サーバとの間でデータの送受信を行うための車線通信部（４５）と、サーバ演算部（４４）と、サーバ記憶部（４６）とを備えるサーバ本体（４２，４２Ａ、４２Ｂ）と、サーバ本体に接続されて表示部（４１ａ）を有するクライアント（４１）とを備え、サーバ本体は、クライアントからの指示に基づいて、車線通信部を介して受信する車線サーバからの車線サーバデータ（４６ｄ、４６ｅ、４６ｆ、４６ｇ）をサーバ演算部により累計処理し、累計処理により作成されたＥＴＣ集計データ（４６ｃ）をサーバ記憶部に格納し、クライアントからの指示に対応するＥＴＣ集計データをクライアントの表示部に表示し、さらに、規定期間あるいは規定データ量毎に、特定のＥＴＣ集計データ（４６ｄ）を上位システム通信部を介して上位システムに送信する。
【００１４】
また、本発明の料金所サーバ（３２Ａ、３２Ｂ）におけるクライアント（４１）は、パーソナルコンピュータ（ＰＣ）である。
【００１５】
また、本発明の料金所サーバ（３２Ａ、３２Ｂ）におけるサーバ本体（４２、４２Ａ、４２Ｂ）の数は、対応する料金所の数、あるいは対応する車線の総数に応じて少なくとも１台以上であり、それぞれのサーバ本体は、１台のクライアント（４１）に接続される。
【００１６】
また、本発明の料金所サーバ（３２Ａ、３２Ｂ）において、車線サーバデータは、ＥＴＣ利用明細データ（４６ｄ）と、ＥＴＣ勤務データ（４６ｆ）と、車線のそれぞれで発生したＥＴＣ交通量を示すＥＴＣ交通量データ（４６ｅ）と、車線サーバと車線サーバが制御する装置と料金所サーバとの機器状態を示すＥＴＣ機器状態データ（４６ｇ）とを備える。
【００１７】
また、本発明の料金所サーバ（３２Ａ、３２Ｂ）において、ＥＴＣ集計データ（４６ｃ）は、クライアント（４１）から入力される、および車線通信部（４５）を介して車線サーバから受信するＥＴＣ利用明細データ（４６ｄ）と、クライアントから入力される、および車線通信部を介して車線サーバから受信するＥＴＣ勤務データ（４６ｆ）と、ＥＴＣ交通量データ（４６ｅ）と、ＥＴＣ機器状態データ（４６ｇ）とを備える。
【００１８】
また、本発明の料金所サーバ（３２Ａ，３２Ｂ）における特定のＥＴＣ集計データ（４６ｃ）は、ＥＴＣ利用明細データ（４６ｄ）である。
【００１９】
また、本発明の料金所サーバ（３２Ａ、３２Ｂ）における累計処理は、日報、月報、及び年報の累計処理である。
【００２０】
また、本発明の料金所サーバ（３２Ａ、３２Ｂ）において、サーバ本体（４２、４２Ａ、４２Ｂ）のサーバ演算部（４４、４４ｃ）が、上位システム（４０）から送信されるＥＴＣマスターテーブル（４６ｂ）に含まれる決済不可能ＩＤ番号と、料金所サーバと通信を行っている車両に対応するＩＤ番号とを照合し、決済不可能ＩＤ番号とＩＤ番号とが一致を示した場合には、車両の通行を許可しない。
【００２１】
また、本発明の料金所サーバ（３２Ａ、３２Ｂ）におけるクライアント（４１）は、サーバ本体（４２、４２Ａ、４２Ｂ）から送信されるＥＴＣ集計データ（４６ｃ）を出力するための帳票装置（４１ｃ）をさらに備える。
【００２２】
また、本発明の小規模有料道路ＥＴＣシステムは、請求項１から９までのいずれか一項に記載の料金所サーバ（３２Ａ、３２Ｂ）を備えた小規模有料道路ＥＴＣシステムであって、サーバ本体（４２、４２Ａ、４２Ｂ）のそれぞれが、各々の車線通信部（４５）を介して、概ね１６箇所以下の料金所、あるいは総計６４車線以下の車線を管理する車線サーバとの間でデータの送受信を行う。
【００２３】
また、本発明の中規模有料道路ＥＴＣシステムは、請求項１から９までのいずれか一項に記載の料金所サーバ（３２ｃ）を備えた中規模有料道路ＥＴＣシステムであって、さらに、概ね数１０車線〜１００車線毎に、概ね数１０車線〜１００車線のそれぞれに備えられる車線サーバと通信を行って車線サーバから受信したデータを通信処理する通信制御装置（９５Ａ、９５Ｂ）を備え、サーバ本体（４２ｃ）のそれぞれが、車線通信部（４５）を介して、通信制御装置のそれぞれで通信処理されたデータの受信、または通信制御装置のそれぞれにデータの送信を行う。
【００２４】
また、本発明の大規模有料道路ＥＴＣシステムは、請求項１から９までのいずれか一項に記載の料金所サーバ（３２Ｄ）を備えた大規模有料道路ＥＴＣシステムであって、クライアント（４１Ｄ）は、さらに、クライアント演算部（４１ｄ）を有し、クライアント演算部は、サーバ本体（４２Ｄ）のサーバ演算部（４４）において行われていた累計処理を行い、累計処理により作成されたＥＴＣ集計データをサーバ記憶部（４６）に格納する。
【００２５】
また、本発明の料金所サーバ（３２Ａ、３２Ｂ）におけるＥＴＣシステム管理方法は、通行料金の決算および決算のためのＥＴＣマスターテーブル管理を行う上位システム（４０）との間でデータの送受信を行うための上位システム通信部（４３）と、無線課金あるいはカードリーダによる課金を行なうための装置を制御する車線サーバとの間でデータの送受信を行うための車線通信部（４５）と、サーバ演算部（４４）と、サーバ記憶部（４６）とを備えるサーバ本体（４２、４２Ａ、４２Ｂ）と、サーバ本体に接続されて表示部（４１ａ）を有するクライアント（４１）とを有する料金所サーバにおけるＥＴＣシステム管理方法であって、クライアントからの指示に基づいて、車線サーバからの車線サーバデータ（４６ｄ、４６ｅ、４６ｆ、４６ｇ）を受信する受信ステップと、受信ステップで受信した車線サーバデータを累計処理してＥＴＣ集計データ（４６ｃ）を作成する累計処理ステップと、クライアントからの指示に対応するＥＴＣ集計データをクライアントの表示部（４１ａ）に表示する表示ステップと、規定期間あるいは規定データ量毎に、特定のＥＴＣ集計データを上位システムに送信する送信ステップとを備える。
【００２６】
また、本発明の料金所サーバ（３２Ａ、３２Ｂ）におけるＥＴＣシステム管理方法において、サーバ本体（４２、４２Ａ、４２Ｂ）の数は、対応する料金所の数、あるいは対応する車線の総数に応じて少なくとも１台以上であり、サーバ本体のそれぞれにおいて、受信ステップと、累計処理ステップと、表示ステップと、送信ステップとを備える。
【００２７】
また、本発明の料金所サーバ（３２Ａ、３２Ｂ）におけるＥＴＣシステム管理方法における累計処理ステップは、車線サーバデータ（４６ｄ、４６ｅ、４６ｆ、４６ｇ）の日報、月報、及び年報の累計処理をすることである。
【００２８】
また、本発明の料金所サーバ（３２Ａ、３２Ｂ）におけるＥＴＣシステム管理方法は、上位システム（４０）から送信されるＥＴＣマスターテーブル（４６ｂ）に含まれる決済不可能ＩＤ番号と、料金所サーバと通信を行っている車両に対応するＩＤ番号とを照合する照合ステップと、決済不可能ＩＤ番号とＩＤ番号とが一致を示した場合には、車両の通行を許可しない不許可ステップとを備える。
【００２９】
また、本発明の料金所サーバ（３２Ａ、３２Ｂ）におけるＥＴＣシステム管理方法において、サーバ本体（４２、４２Ａ、４２Ｂ）から送信されるＥＴＣ集計データ（４６Ｃ）を出力するための帳票ステップをさらに備える。
【００３０】
また、本発明の料金所サーバにおけるＥＴＣシステム管理プログラム（４６Ａ）は、コンピュータ読み込み可能であり、請求項１３から１７までの少なくとも一項に記載の料金所サーバ（３２Ａ、３２Ｂ）におけるＥＴＣシステム管理方法を実現させる。
【発明の効果】
【００３１】
本発明により、機能を限定して簡素な構成としたサーバで、小規模なＥＴＣシステムから大規模なＥＴＣシステムまで対応することのできる料金所サーバを提供することができる。これにより、クライアントの数を集約して、管理や運用性に優れたＥＴＣシステムを実現することができる。また、機能を限定して簡素な構成としたサーバをそれぞれの規模のＥＴＣシステムに適用することにより、任意の規模のＥＴＣシステムを安価に実現することができる。
【発明を実施するための最良の形態】
【００３２】
添付図面を参照して、本発明による料金所サーバを実施するための最良の形態を以下に説明する。
【００３３】
本発明の料金所サーバは、通行料金の決算および決算のためのマスターテーブル管理を行う中央管理装置などの上位システムとの間でデータの送受信を行うための上位システム通信部と、無線課金あるいはカードリーダによる課金を行なうための装置を制御する車線サーバとの間でデータの送受信を行うための車線通信部と、サーバ演算部と、サーバ記憶部とを有するサーバ本体と、表示部を有するクライアントとを備えている。
【００３４】
サーバ本体は、クライアントからの指示に基づいて、車線通信部を介して受信する車線サーバからの車線サーバデータをサーバ演算部により累計処理する。そして、累計処理により作成されたＥＴＣ集計データをサーバ記憶部に格納し、クライアントからの指示に基づき、格納されたＥＴＣ集計データから、例えば１日単位での車線ごとの通行台数や、全車線における通行台数の合算、あるいは徴収料金の合計をクライアントの表示部に表示する。また、特定のＥＴＣ集計データを、上位システム通信部を介して上位システムに送信する。
【００３５】
本発明においては、機能を限定して簡素な構成とした料金所サーバで、小規模なＥＴＣシステムから大規模なＥＴＣシステムまで適用する。これにより、管理や運用性に優れ、また、安価なＥＴＣシステムを、任意規模のＥＴＣシステムにおいて実現することができる。
【００３６】
（実施の形態１；料金所サーバ）
図５に、本発明の実施の形態１に係わる料金所サーバの概略構成を示す。本発明の料金所サーバ３２Ａは、サーバ本体４２とサーバ本体４２に接続されるクライアント４１とを備えている。サーバ本体４２は、ＰＣサーバで構成されてデータの管理を行う。また、クライアント４１はパーソナルコンピュータ（ＰＣ）で構成され、サーバ本体４２のデータの参照・編集・帳票出力を行う。
【００３７】
サーバ本体４２は、通行料金の決算および決算のためのマスターテーブル管理を行う中央管理装置などの上位システム４０との間でデータの送受信を行うための上位システム通信部４３と、無線課金あるいはカードリーダによる課金を行なうための装置を制御する車線サーバとの間でデータの送受信を行うための車線通信部４５と、サーバ演算部４４と、サーバ記憶部４６と、クライアント４１との間でデータの送受信を行うクライアント通信部４８とを有している。そして、上位システム通信部４３と、車線通信部４５と、サーバ演算部４４と、サーバ記憶部４６と、クライアント通信部４８とはそれぞれバスライン４７で接続されている。サーバ記憶部４６には、本実施の形態の料金所サーバ３２ＡにてＥＴＣシステムの管理を実行するために、予めＥＴＣシステム管理プログラム４６ａが格納されている。また、クライアント（ＰＣ）４１は、表示部４１ａと、入力部４１ｂと、帳票装置４１ｃと、クライアント演算部４１ｄと、クライアント記憶部４１ｅとを有している。クライアント記憶部４１ｅには、予めＥＴＣシステム操作プログラム４１ｇが格納されている。そして、表示部４１ａと、入力部４１ｂと、帳票装置４１ｃと、クライアント演算部４１ｄと、クライアント記憶部４１ｅとはそれぞれバスライン４１ｆで接続されている。
【００３８】
図５に示す本実施の形態に係わる料金所サーバ３２Ａは、１６以下の料金所、あるいは総計で６４以下の車線を備えるＥＴＣシステムへ適用される。料金所数が１６以下で、車線数が６４以下の構成規模の場合、全ての車線サーバは１台のサーバ本体４２に接続される。サーバ本体４２に対し、クライアント４１は１台で対応しても良いし、複数台接続しても良い。
【００３９】
なお、料金所数が１７以上もしくは車線の総数が６５以上の構成規模の場合、図６に示すように、料金所サーバの構成は、料金所サーバ３２Ｂとなる。料金所サーバ３２Ｂは、サーバ本体１（４２Ａ）とサーバ本体２（４２Ｂ）との２台のサーバ本体を有している。この場合、クライアント４１を増設する必要は無く、ユーザはサーバ本体２台分のデータを１台のクライアント４１において参照・編集・帳票出力することができる。料金所数が３３以上もしくは車線の総数が１２９以上の構成規模では、サーバ本体を３台設置して拡張していくことができる。なお、ここでいう車線サーバとは、無線課金、もしくはＩＣカードリーダによる課金を行うための装置を制御する装置のことをいう。
【００４０】
（実施の形態１の動作原理）
以下に、本実施の形態に係わる料金所サーバの動作原理を説明する。ここでは、１台のサーバ本体４２を備えた料金所サーバ３２Ａについての説明を行う。
【００４１】
本実施の形態に係わる料金所サーバ３２Ａが起動すると、サーバ本体４２のサーバ演算部４４は、サーバ記憶部４６に予め格納されているＥＴＣシステム管理プログラム４６ａを読み込んで実行する。ＥＴＣシステム管理プログラム４６ａが実行されると、サーバ演算部４４は、車線通信部４５を介して、車線サーバから送信されてくるＥＴＣ交通量データ４６ｅ、ＥＴＣ機器状態データ４６ｇ、ＥＴＣ勤務データ４６ｆ、およびＥＴＣ利用明細データ４６ｄを受信してサーバ記憶部４６に格納する。また、クライアントから入力されるＥＴＣ勤務データ４６ｆおよびＥＴＣ利用明細データ４６ｄを受信してサーバ記憶部４６に格納する。そして、サーバ演算部４４は、クライアント４１からの指示に基づいて、サーバ記憶部４６に格納されたＥＴＣ交通量データ４６ｅ、ＥＴＣ機器状態データ４６ｇ、ＥＴＣ勤務データ４６ｆ、ＥＴＣ利用明細データ４６ｄについて、日報、月報、年報などの累計処理を行い、累計データをＥＴＣ集計データ４６ｃにまとめる。累計処理後、サーバ演算部４４は、クライアント４１からの指示に基づいたＥＴＣ集計データ４６ｃをクライアント４１の表示部４１ａに表示、および帳票装置に出力するとともに、規定期間あるいは規定データ量毎に、利用明細データ４６ｄを上位システム４０に向けて送信する。
【００４２】
一方、クライアント（ＰＣ）４１においては、本実施の形態に係わる料金所サーバ３２Ａが起動すると、サーバ本体４２に連動して、クライアント演算部４１ｄが、クライアント記憶部４１ｅに予め格納されているＥＴＣシステム操作プログラム４１ｇを読み込んで実行する。ＥＴＣシステム操作プログラム４１ｇが実行されると、クライアント（ＰＣ）４１の入力部４１ｂからのＥＴＣ勤務データ４６ｆ、およびＥＴＣ利用明細データ４６ｄの入力が可能になる他、サーバ本体４２のサーバ記憶部４６に格納されているＥＴＣ集計データ４６ｃを、クライアント通信部４８を介し、必要に応じて表示部４１ａや帳票装置４１ｃに出力させることができる。また、クライアント（ＰＣ）４１からは、事業者独自の設定を行うために、入力部４１ｂより、車線サーバの制御する装置設定のためのプリセットデータ等を入力することもできる。
【００４３】
本実施の形態における動作原理の説明においては、１台のサーバ本体４２を備えるものについて説明したが、この動作原理は２台以上のサーバ本体を備えるものについても全く同様に適用できる。複数のサーバ本体４２Ａ，４２Ｂを備える料金所サーバ３２Ｂについては、サーバ本体４２Ａと４２Ｂとの間においてお互いにデータの送受信、および同期を取ることは行わず、並列処理を実施する。このため、各サーバ本体は、一定の性能を有したＰＣサーバにより規定の目的を達成することができる。また、クライアント（ＰＣ）４１の表示部４１ａおよび帳票装置４１ｃにおけるデータの表示・印書は、クライアント演算部４１ｄにより実施される画面処理および帳票処理により、各サーバ本体のサーバ記憶部４６に既に格納されているＥＴＣ集計データ４６ｃを参照して、道路事業者が必要な形式でデータを表示・印書することができる。またクライアント（ＰＣ）４１の入力部４１ｂからの入力データは、クライアント演算部４１ｄを介して各サーバ本体のそれぞれのサーバ記憶部４６に格納される。つまり、サーバ本体の台数に関わらず、クライアント（ＰＣ）４１のクライアント記憶部４１ｅではデータを保持する必要が無く、負荷のかかる処理も行われない。このため、クライアント４１はＰＣで規定の機能を達成することができる。
【００４４】
（実施の形態２；小規模有料道路ＥＴＣシステム）
図７に、本実施の形態に係わる小規模有料道路ＥＴＣシステムの概略構成を示す。本実施の形態に係わる小規模有料道路ＥＴＣシステム１５０は、実施の形態１の料金所サーバ（３２Ａあるいは３２Ｂ）と、料金所サーバ（３２Ａあるいは３２Ｂ）に対してＥＴＣマスターテーブル４６Ｂを送信する、あるいは料金所サーバ（３２Ａあるいは３２Ｂ）から送信される決算用データ（ＥＴＣ利用明細データ）に基づいて、当該料金所を通過する車両の通行料金の決算、およびマスターテーブルの管理を行う上位システム４０と、料金所サーバ（３２Ａあるいは３２Ｂ）に接続される料金所とを備えている。本実施の形態に接続される料金所の数は、料金所１（３３ａ）から料金所１６（３３ｐ）までの１６箇所以下に制限されるか、あるいは、本実施の形態に接続される車線の総数は、６４車線以下に制限される。料金所１（３３ａ）から料金所１６（３３ｐ）までの各料金所は、それぞれ１つの料金事務所３４ａ〜ｐを備えている。また、各料金所３３ａ〜ｐに備えられる車線機器３６からのデータは、例えば車線機器３６がＥＴＣ読取装置である場合には、読み取られたデータは車線サーバ３５を経由して、料金所サーバ（３２Ａ、あるいは３２Ｂ）に送信される。また、車線機器３６がＩＣカードリーダによる課金を行うための装置である場合には、当該装置に入力されるデータは、車線サーバ３５を経由して料金所サーバ（３２Ａ，あるいは３２Ｂ）に送信される他に、料金所事務所３４ａ〜ｐに送信される。
【００４５】
（実施の形態２の動作原理）
以下に、本実施の形態に係わる小規模有料道路ＥＴＣシステム１５０の動作原理を図１０に基づいて説明する。本実施の形態に係わる小規模有料道路ＥＴＣシステム１５０における料金所サーバ（３２Ａ，あるいは３２Ｂ）の動作原理は、基本的に実施の形態１で説明したものと同様である。
【００４６】
ここでは、料金所サーバ３２Ｂを備える小規模有料道路ＥＴＣシステム１５０の場合を例に挙げる。本実施の形態に係わる料金所サーバ３２Ｂが起動すると、サーバ本体４２Ａ，４２Ｂのサーバ演算部４４は、サーバ記憶部４６に予め格納されているＥＴＣシステム管理プログラム４６ａを読み込んで実行する。ＥＴＣシステム管理プログラム４６ａが実行されると、サーバ演算部４４は、車線通信部４５を介して、車線サーバから送信されてくるＥＴＣ交通量データ４６ｅ、ＥＴＣ機器状態データ４６ｇ、ＥＴＣ勤務データ４６ｆ、およびＥＴＣ利用明細データ４６ｄを受信してサーバ記憶部４６に格納する処理を行う（ステップＳ０１Ａ、ステップＳ０１Ｂ）。また、クライアント（ＰＣ）４１から入力されるＥＴＣ勤務データ４６ｆ、およびＥＴＣ利用明細データ４６ｄを受信してサーバ記憶部４６に格納する。そして、サーバ演算部４４は、クライアント４１からの指示に基づいて、サーバ記憶部４６に格納されたＥＴＣ交通量データ４６ｅ、ＥＴＣ機器状態データ４６ｇ、ＥＴＣ勤務データ４６ｆ、およびＥＴＣ利用明細データ４６ｄについて、日報、月報、年報などの累計処理を行い、累計データをＥＴＣ集計データ４６ｃとしてまとめる（ステップＳ０２Ａ，ステップＳ０２Ｂ）。また、サーバ演算部４４は、規定期間あるいは規定データ量毎に、利用明細データ４６ｄを上位システム４０に向けて送信する。（ステップＳ０３Ａ、ステップＳ０３Ｂ）。さらに、サーバ演算部４４は、上位システム４０から送信されるＥＴＣマスターテーブル４６ｂに含まれる決済不可能ＩＤ番号と、料金所サーバと通信を行っている車両に対応するＩＤ番号とを照合することにより、ＥＴＣマスターテーブル４６ｂに含まれる決済不可能ＩＤ番号と料金所サーバと通信を行っている当該車両に対応するＩＤ番号とが一致を示した場合には、料金所３３ａ〜３３ｐに備えられるゲート等の路側機器に指示して当該車両の通行を許可しない。
【００４７】
一方、クライアント（ＰＣ）４１においては、本実施の形態に係わる料金所サーバ３２Ｂが起動すると、サーバ本体４２Ａおよび４２Ｂに連動して、クライアント演算部４１ｄが、クライアント記憶部４１ｅに予め格納されているＥＴＣシステム操作プログラム４１ｇを読み込んで実行する。ＥＴＣシステム操作プログラム４１ｇが実行されると、クライアント（ＰＣ）４１の入力部４１ｂからのＥＴＣ勤務データ４６ｆおよびＥＴＣ利用明細データ４６ｄの入力が可能になる他、サーバ本体４２Ａおよび４２Ｂそれぞれが備えているサーバ記憶部４６に格納されるＥＴＣ集計データ４６ｃを、クライアント通信部４８を介し、必要に応じて表示部４１ａに表示し、あるいは帳票装置４１ｃに出力する（ステップＳ０４）。また、クライアント（ＰＣ）４１からは、事業者独自の設定を行うために、入力部４１ｂより、車線サーバの制御する装置設定のためのプリセットデータ等を入力することもできる。
【００４８】
本実施の形態に係わるサーバ本体４２Ａ、および４２Ｂは、お互いにデータの送受信、および同期を取ることは行わず、並列処理を実施する。このため、各サーバ本体は一定の性能を有したＰＣサーバで規定の機能を実行することができる。また、クライアント（ＰＣ）４１の表示部４１ａおよび帳票装置４１ｃにおけるデータの表示・印書は、クライアント演算部４１ｄにより実施される画面処理および帳票処理により、各サーバ本体のサーバ記憶部４６に既に格納されている累計済のデータを参照して、道路事業者が必要な形式でデータを表示・印書することができる。また、クライアント（ＰＣ）４１の入力部４１ｂからの入力データは、クライアント演算部４１ｄを介して各サーバ本体のそれぞれのサーバ記憶部４６に格納される。つまり、サーバ本体の台数に関わらず、クライアント（ＰＣ）４１のクライアント記憶部４１ｅではデータを保持する必要が無く、負荷のかかる処理も行われない。このため、クライアント４１は、ＰＣで規定の機能を行うことができる。
【００４９】
（実施の形態３；中規模有料道路ＥＴＣシステム）
図８に、本実施の形態に係わる中規模有料道路ＥＴＣシステムの概略構成を示す。本実施の形態に係わる中規模有料道路ＥＴＣシステム２００は、基本的に１００〜３００程度の車線を有する有料道路ＥＴＣシステムに適用可能である。本実施の形態に係わる中規模有料道路ＥＴＣシステム２００は、実施の形態１の料金所サーバと、料金所サーバに対してＥＴＣマスターテーブル４６Ｂを送信する、あるいは料金所サーバから送信される決算用データ（ＥＴＣ利用明細データ）に基づいて当該料金所を通過する車両の通行料金の決算を行う上位システム４０と、料金所サーバに接続され、規定数の車線サーバから送られてくるデータの通信制御処理を実行し、通信制御処理したデータを当該料金所サーバに入力する通信制御装置９５Ａ，９５Ｂとを備えている。通信制御装置９５Ａ，９５Ｂに接続される車線サーバの数は、それぞれ数十車線〜１００車線以下に制限される。また、本実施の形態に係わる中規模有料道路ＥＴＣシステム２００に備えられる料金所サーバ３２Ｃのサーバ本体４２Ｃには、通信制御装置９５Ａ，９５Ｂを介して接続される車線サーバの数に対応可能な演算速度および記憶容量を有するサーバ演算部４４Ｃ、およびサーバ記憶部４６Ｃが備えられる。通信制御装置９５Ａ，９５Ｂのそれぞれは、制御装置演算部９６と、料金所サーバ３２Ｃとデータの送受信を行うのに使用される通信部Ａ（９７）と、通信制御処理を実行するための通信制御プログラム９８ａを予め格納した制御装置記憶部９８と、車線サーバとデータの送受信を行うのに使用される通信部Ｂ（９９）とを備えている。制御装置演算部９６と、通信部Ａと、制御装置記憶部９８と、通信部Ｂとはそれぞれバスライン１００で接続されている。
【００５０】
（実施の形態３の動作原理）
以下に、本実施の形態に係わる中規模有料道路ＥＴＣシステムの動作原理を図１１に基づいて説明する。本実施の形態に係わる中規模有料道路ＥＴＣシステム２００における料金所サーバ３２Ｃの動作原理は、基本的に実施の形態１および２で説明したものと同様である。
【００５１】
本実施の形態に係わる料金所サーバ３２Ｃが起動すると、通信制御装置９５Ａおよび通信制御装置９５Ｂそれぞれの制御装置演算部９６は、制御装置記憶部９８に予め格納されている通信制御プログラム９８ａを読み込んで実行する。通信制御プログラム９８ａが実行されると、制御装置演算部９６は、通信部Ｂ９９を介して、車線サーバから送信されてくるＥＴＣ交通量データ４６ｅ、ＥＴＣ機器状態データ４６ｇ、ＥＴＣ勤務データ４６ｆ、およびＥＴＣ利用明細データ４６ｄを受信して制御装置記憶部９８に格納する処理を行う（ステップＳ２０Ａ、ステップＳ２０Ｂ）。そして、制御装置記憶部９８に格納された当該データを通信制御処理する（ステップＳ２１Ａ、ステップＳ２１Ｂ）。ステップＳ２１Ａ、ステップＳ２１Ｂにおいて処理されたデータは、通信制御装置９５Ａおよび９５Ｂそれぞれの通信部Ａ９７を介して料金所サーバ３２Ｃに送信される。
【００５２】
一方、本実施の形態に係わるＥＴＣシステム２００が起動すると、サーバ本体４２Ｃのサーバ演算部４４Ｃは、サーバ記憶部４６Ｃに予め格納されているＥＴＣシステム管理プログラム４６ａを読み込んで実行する。ＥＴＣシステム管理プログラム４６ａが実行されると、サーバ演算部４４Ｃは、車線通信部４５を介して、通信制御装置９５Ａ、９５Ｂそれぞれから送信されてくる通信制御処理されたＥＴＣ交通量データ４６ｅ、ＥＴＣ機器状態データ４６ｇ、ＥＴＣ勤務データ４６ｆ、およびＥＴＣ利用明細データ４６ｄを受信してサーバ記憶部４６Ｃに格納する（ステップＳ２２）。また、クライアント（ＰＣ）４１から入力されるＥＴＣ勤務データ４６ｆ、ＥＴＣ利用明細データ４６ｄを受信してサーバ記憶部４６Ｃに格納する。そして、サーバ演算部４４Ｃは、クライアント（ＰＣ）４１からの指示に基づいて、サーバ記憶部４６Ｃに格納されたＥＴＣ交通量データ４６ｅ、ＥＴＣ機器状態データ４６ｇ、ＥＴＣ勤務データ４６ｆ、およびＥＴＣ利用明細データ４６ｄについて、日報、月報、年報などの累計処理を行い、ＥＴＣ集計データ４６ｃとしてまとめる（ステップＳ２３）。また、サーバ演算部４４Ｃは、クライアント（ＰＣ）４１からの指示に基づいて、規定期間あるいは規定データ量毎に、利用明細データ４６ｄを上位システム４０に向けて送信する（ステップＳ２４）。さらに、サーバ演算部４４Ｃは、上位システム４０から送信されるＥＴＣマスターテーブル４６ｂに含まれる決済不可能ＩＤ番号と、料金所サーバと通信を行っている車両に対応するＩＤ番号とを照合することにより、ＥＴＣマスターテーブル４６ｂに含まれる決済不可能ＩＤ番号と料金所サーバと通信を行っている当該車両に対応するＩＤ番号とが一致を示した場合には、当該車両の通行処理を行っている料金所に備えられるゲート等の路側機器に指示して当該車両の通行を許可しない。
【００５３】
一方、クライアント（ＰＣ）４１においては、本実施の形態に係わる料金所サーバ３２Ｃが起動すると、サーバ本体４２Ｃに連動して、クライアント演算部４１ｄが、クライアント記憶部４１ｅに予め格納されているＥＴＣシステム操作プログラム４１ｇを読み込んで実行する。ＥＴＣシステム操作プログラム４１ｇが実行されると、クライアント（ＰＣ）４１の入力部４１ｂからのＥＴＣ勤務データ４６ｆ、およびＥＴＣ利用明細データ４６ｄの入力が可能になる他、サーバ本体４２Ｃのサーバ記憶部４６Ｃに格納されているＥＴＣ集計データ４６ｃを、クライアント通信部４８を介し、必要に応じて表示部４１ａに表示、あるいは帳票装置４１ｃに出力する（ステップＳ２５）。クライアント（ＰＣ）４１からは、事業者独自の設定を行うために、入力部４１ｂより車線サーバが制御する装置設定のためのプリセットデータ等を入力することもできる。また、クライアント（ＰＣ）４１の表示部４１ａおよび帳票装置４１ｃにおけるデータの表示・印書は、クライアント演算部４１ｄにより実施される画面処理および帳票処理により、各サーバ本体のサーバ記憶部４６Ｃに既に格納されているＥＴＣ集計データ４６ｃを参照して、道路事業者が必要な形式でデータを表示・印書することができる。また、クライアント（ＰＣ）４１の入力部４１ｂから入力されるデータは、クライアント演算部４１ｄを介してサーバ本体４２Ｃのサーバ記憶部４６Ｃに格納される。つまり、クライアント（ＰＣ）４１のクライアント記憶部４１ｅではデータを保持する必要が無く、負荷のかかる処理も行われない。このため、クライアントは、ＰＣの機能で規定の処理を行うことができる。
【００５４】
（実施の形態４；大規模有料道路ＥＴＣシステム）
図９に、本実施の形態に係わる大規模有料道路ＥＴＣシステムの概略構成を示す。本実施の形態に係わる大規模有料道路ＥＴＣシステム３００における料金所サーバ３２Ｄの動作原理は、基本的に実施の形態１〜３で説明したものと同様である。但し、本実施の形態に係わる大規模有料道路ＥＴＣシステム３００は、各料金所毎に、料金所サーバ３２Ｄを備えている。また、本実施の形態に係わる大規模有料道路ＥＴＣシステム３００は、料金所サーバ３２Ｄに対してＥＴＣマスターテーブル４６Ｂを送信する、あるいは料金所サーバから送信される決算用データ（ＥＴＣ利用明細データ）に基づいて当該料金所を通過する車両の通行料金の決算を行う上位システム４０を備えている。本実施の形態においては、それぞれの料金所に接続される車線サーバの数は８以下に制限される。
【００５５】
本実施の形態に備わる料金所サーバ３２Ｄは、サーバ本体４２Ｄとサーバ本体４２Ｄに接続されるクライアント（ＰＣ）４１Ｄとを備えている。サーバ本体４２Ｄは、上位システム４０との間でデータの送受信を行うための上位システム通信部４３と、車線サーバとの間でデータの送受信を行うための車線通信部４５と、サーバ演算部４４と、サーバ記憶部４６と、クライアント４１Ｄとの間でデータの送受信を行うクライアント通信部４８とを有している。サーバ記憶部４６には、予めＥＴＣシステム管理プログラム４６ａが格納されている。そして、上位システム通信部４３と、車線通信部４５と、サーバ演算部４４と、サーバ記憶部４６と、クライアント通信部４８とはそれぞれバスライン４７で接続されている。また、クライアント（ＰＣ）４１Ｄは、表示部４１ａと、入力部４１ｂと、帳票装置４１ｃと、クライアント演算部４１ｄと、クライアント記憶部４１ｅとを有している。クライアント記憶部４１ｅには、予めＥＴＣシステム操作プログラム４１ｇと累計処理プログラム４１ｈとが格納されている。そして、表示部４１ａと、入力部４１ｂと、帳票装置４１ｃと、クライアント演算部４１ｄと、クライアント記憶部４１ｅとはそれぞれバスライン４１ｆで接続されている。
【００５６】
（実施の形態４の動作原理）
以下に、本実施の形態に係わる大規模有料道路ＥＴＣシステム３００の動作原理を図１２に基づいて説明する。本実施の形態に係わる大規模有料道路ＥＴＣシステムにおける料金所サーバ３２Ｄの動作原理は、基本的に実施の形態１〜３で説明したものと同様である。但し、本実施の形態においては、累計処理は、サーバ本体４２Ｄでなく、クライアント（ＰＣ）４１Ｄにおいて行われる。
【００５７】
本実施の形態に係わる料金所サーバ３２Ｄが起動すると、サーバ本体４２Ｄのサーバ演算部４４は、サーバ記憶部４６に予め格納されているＥＴＣシステム管理プログラム４６ａを読み込んで実行する。ＥＴＣシステム管理プログラム４６ａが実行されると、サーバ演算部４４は、車線通信部４５を介して、車線サーバから送信されてくるＥＴＣ交通量データ４６ｅ、ＥＴＣ機器状態データ４６ｇ、ＥＴＣ勤務データ４６ｆ、およびＥＴＣ利用明細データ４６ｄを受信してサーバ記憶部４６に格納する（ステップＳ１０）。また、クライアント（ＰＣ）４１Ｄから入力されるＥＴＣ勤務データ４６ｆ、およびＥＴＣ利用明細データ４６ｄを受信してサーバ記憶部４６に格納する。ここで、クライアント（ＰＣ）４１Ｄは、本実施の形態に係わる料金所サーバ３２Ｄが起動すると、サーバ本体４２Ｄに連動して、クライアント演算部４１ｄが、クライアント記憶部４１ｅに予め格納されているＥＴＣシステム操作プログラム４１ｇおよび累計処理プログラム４１ｈを読み込んで実行する。累計処理プログラム４１ｈが実行されると、クライアント演算部４１ｄは、サーバ本体４２Ｄのサーバ記憶部４６に格納されたＥＴＣ交通量データ４６ｅ、ＥＴＣ機器状態データ４６ｇ、ＥＴＣ勤務データ４６ｆ、およびＥＴＣ利用明細データ４６ｄについて、日報、月報、年報などの累計処理を行い、ＥＴＣ集計データ４６ｃとしてまとめる（ステップＳ１２）。そして、累計処理されたＥＴＣ集計データ４６ｃを、サーバ本体４２Ｄのサーバ記憶部４６に格納する。また、サーバ演算部４４は、クライアント４１Ｄからの指示に基づいて、規定期間あるいは規定データ量毎に、サーバ記憶部４６に格納されている利用明細データ４６ｄを上位システム４０に向けて送信する（ステップＳ１１）。さらに、サーバ演算部４４は、上位システム４０から送信されるＥＴＣマスターテーブル４６ｂに含まれる決済不可能ＩＤ番号と、車線サーバと通信を行っている車両に対応するＩＤ番号とを照合することにより、ＥＴＣマスターテーブル４６ｂに含まれる決済不可能ＩＤ番号と車線サーバと通信を行っている当該車両に対応するＩＤ番号とが一致を示した場合には、料金所に備えられるゲート等の路側機器に指示して当該車両の通行を許可しない。
【００５８】
一方、クライアント（ＰＣ）４１ＤにおいてＥＴＣシステム操作プログラム４１ｇが実行されると、クライアント（ＰＣ）４１Ｄの入力部４１ｂからのＥＴＣ勤務データ４６ｆ、およびＥＴＣ利用明細データ４６ｄの入力が可能になる他、サーバ本体４２Ｄのサーバ記憶部４６に格納されているＥＴＣ集計データ４６ｃを、クライアント通信部４８を介し、必要に応じて表示部４１ａに表示し、また帳票装置４１ｃに出力する（ステップＳ１３）。また、クライアント（ＰＣ）４１Ｄからは、事業者独自の設定を行うために、入力部４１ｂより車線サーバにより制御される機器設定のためのプリセットデータ等を入力することもできる。
【００５９】
本実施の形態に係わる各料金所に設置される料金所サーバ３２Ｄのクライアント（ＰＣ）４１Ｄの表示部４１ａおよび帳票装置４１ｃにおけるデータの表示・印書は、クライアント演算部４１ｄにより実施される画面処理および帳票処理により、各サーバ本体のサーバ記憶部４６に既に格納されている累計済のデータを参照して、道路事業者が必要な形式でデータを表示・印書することができる。本実施の形態に係わる料金所サーバ３２Ｄでは、負荷の高い累計処理がクライアント（ＰＣ）４１Ｄにあるが、処理対象である１料金所が有する車線数が８車線以下のため、クライアントはＰＣで十分である。
【００６０】
図１３に、実施の形態２から４までに記載したそれぞれの規模のＥＴＣシステムに備えられる料金所サーバの特徴一覧を示す。大規模事業者向けＥＴＣシステムの料金所サーバとしては、各料金所毎に実施の形態１に係わるＰＣサーバレベルの料金所サーバを設置する。また、中規模事業者向けおよび小規模事業者向けＥＴＣシステムの料金所サーバとしては、実施の形態１に係わるＰＣサーバレベルの料金所サーバを１箇所のみに設置すれば良い。
【００６１】
本発明により、機能を限定して簡素な構成とした料金所サーバで、小規模なＥＴＣシステムから大規模なＥＴＣシステムまで適用することが可能であり、且つ、管理や運用性に優れ、また、安価なＥＴＣシステムを実現することができる。これにより、小規模業者にとって、ＥＴＣシステムの導入が容易となる。
【図面の簡単な説明】
【００６２】
【図１】従来の料金収受システムを示す図である。
【図２】従来の大規模ＥＴＣシステムを示す図である。
【図３】従来の中規模ＥＴＣシステムを示す図である。
【図４】従来の小規模／中規模／大規模向けサーバの特徴を比較した図である。
【図５】実施の形態１に係わる料金所サーバ（１６料金所／６４車線以下に対応）の概略構成を示す図である。
【図６】実施の形態１に係わる料金所サーバ（１６料金所／６４車線以上に対応）の概略構成を示す図である。
【図７】実施の形態２に係わる小規模有料道路ＥＴＣシステムの概略構成を示す図である。
【図８】実施の形態３に係わる中規模有料道路ＥＴＣシステムの概略構成を示す図である。
【図９】実施の形態４に係わる大規模有料道路ＥＴＣシステムの概略構成を示す図である。
【図１０】実施の形態２に係わる小規模有料道路ＥＴＣシステムの動作フローを示す図である。
【図１１】実施の形態３に係わる中規模有料道路ＥＴＣシステムの動作フローを示す図である。
【図１２】実施の形態４に係わる大規模有料道路ＥＴＣシステムの動作フローを示す図である。
【図１３】実施の形態２，３，４に係わる小規模／中規模／大規模有料道路ＥＴＣシステム用料金所サーバの特徴を比較した図である。
【符号の説明】
【００６３】
２ａ…料金所１
２ｂ…料金所２
２ｃ…料金所Ｎ
３ａ、３ｂ、３ｃ、３４ａ、３４ｂ、３４ｐ…料金事務所
４、１６、２５、３６…車線機器
１０…従来の大規模事業者向けＥＴＣシステム
１１、２１、４０…上位システム
１２ａ、２３ａ、３３ａ…料金所１
１２ｂ、２３ｂ、３３ｂ…料金所２
１２ｃ、２３ｃ…料金所３
１３ａ、１３ｂ、１３ｃ、３４ａ、３４ｂ、３４ｐ…料金事務所
１５、２４、３５…車線サーバ
１４ａ、１４ｂ、１４ｃ、２２…料金所サーバ
３２Ａ，３２Ｂ、３２Ｃ、３２Ｄ…料金所サーバ
２０…従来の中規模事業者向けＥＴＣシステム
３０…小規模事業者向けＥＴＣシステム
３３ｐ…料金所１６
４１、４１Ｄ、７０、８０…クライアント（ＰＣ）
４１ａ…表示部
４１ｂ…入力部
４１ｃ…帳票装置
４１ｄ…クライアント演算部
４１ｅ…クライアント記憶部
４１ｆ…バスライン
４１ｇ…ＥＴＣシステム操作プログラム
４１ｈ…累計処理プログラム
４２、４２Ｃ、４２Ｄ、７５、９０…サーバ本体
４２Ａ…サーバ本体１
４２Ｂ…サーバ本体２
４３…上位システム通信部
４４、４４Ｃ…サーバ演算部
４５…車線通信部
４６、４６Ｃ…サーバ記憶部
４６ａ、４６Ａ…ＥＴＣシステム管理プログラム
４６ｂ、４６Ｂ…ＥＴＣマスタテーブル
４６ｃ…ＥＴＣ集計データ
４６ｄ…ＥＴＣ利用明細データ
４６ｅ…ＥＴＣ交通量データ
４６ｆ…ＥＴＣ勤務データ
４６ｇ…ＥＴＣ機器状態データ
４７…バスライン
４８…クライアント通信部
５０…料金所サーバ
６０…サーバ本体１
６１…サーバ本体２
９５Ａ，９５Ｂ…通信制御装置
９６…制御装置演算部
９７…通信部Ａ
９８…制御装置記憶部
９８ａ…通信制御プログラム
９９…通信部Ｂ
１００…バスライン
１５０…小規模有料道路ＥＴＣシステム
２００…中規模有料道路ＥＴＣシステム
３００…大規模有料道路ＥＴＣシステム
【図１】
2006309597.tif 000003
【図２】
2006309597.tif 000004
【図３】
2006309597.tif 000005
【図４】
2006309597.tif 000006
【図５】
2006309597.tif 000007
【図６】
2006309597.tif 000008
【図７】
2006309597.tif 000009
【図８】
2006309597.tif 000010
【図９】
2006309597.tif 000011
【図１０】
2006309597.tif 000012
【図１１】
2006309597.tif 000013
【図１２】
2006309597.tif 000014
【図１３】
2006309597.tif 000015